(57)【特許請求の範囲】
【請求項１】
サイドドアにおいて外板を構成するドアアウタパネルにおける車両幅方向の外側に設けられ、前記サイドドアを開放させるドアアウトサイドハンドルと、
前記ドアアウタパネルにおける車両幅方向の内側に設けられ、前記ドアアウトサイドハンドルを車両幅方向に沿って揺動可能に支持するドアアウトサイドハンドルベースと、
前記ドアアウトサイドハンドルベースに連結され、前記サイドドアのドア開放時にドアアウトサイドハンドルを揺動させると一方向に移動して当該サイドドアが閉止されたドアロック状態を解除する連結レバーと、
前記連結レバーに形成されると共に前記ドアアウトサイドハンドルベースの車両幅方向の内側に配置され、車両の側面衝突時に前記ドアアウタパネルの車両幅方向内側への変位に伴い前記ドアアウトサイドハンドルベースが車両幅方向の内側へ変位すると前記ドアロック状態が解除されないように当該連結レバーの車両下方向への移動を規制する規制機構と、
を備え、
前記規制機構は、車両の側面衝突時に前記ドアアウトサイドハンドルベースの側面に形成された被係合部に係合される係合部であって、
前記被係合部は前記ドアアウトサイドハンドルベースの側面に設けられた段部であり、前記係合部は車両の側面衝突時に前記段部の上方に位置する突出部である車両のドアアウトサイドハンドル構造。
【発明の詳細な説明】
【技術分野】
【０００１】
本発明は、車両のドアアウトサイドハンドル構造に関する。
【背景技術】
【０００２】
下記特許文献１には、車両用ドアに取り付けられたアウタハンドル（ドアアウトサイドハンドル）を操作することによって、アウタハンドルに連結された連結ロッドが下方へ移動し、これによって、ラッチ機構によるドアロック状態が解除され、車両用ドアが開放可能とされる技術が開示されている。
【０００３】
この先行技術では、ラッチ機構に連結された連結ロッドに近接してハンドルベース部材には別体のブラケットが取り付けられている。このブラケットには慣性ストッパ部材が揺動可能に設けられており、車両側面衝突時（以下、単に「側突時」という）の慣性力により当該慣性ストッパ部材が連結ロッドに取り付けられた係合部の移動軌跡上に移動して連結ロッドのドア開放方向への移動を規制するようになっている。なお、この他にも特許文献２、３に車両のドアアウトサイドハンドル構造が開示されている。
【先行技術文献】
【特許文献】
【０００４】
【特許文献１】特開２００９−２４３１０２号公報
【特許文献２】特開２００９−２４３１０１号公報
【特許文献３】特開２００３−５０３６１２号公報
【発明の概要】
【発明が解決しようとする課題】
【０００５】
しかしながら、これらの先行技術では、側突時の慣性力を利用して所定の部材を揺動させ、他部材と係合させる構成となっているため、構造が複雑であり取付作業も繁雑である。
【０００６】
本発明は上記事実を考慮し、側突時においてサイドドアのドアロック状態が解除され難い車両のドアアウトサイドハンドル構造を簡単な構成で得ることが目的である。
【課題を解決するための手段】
【０００７】
請求項１に記載の車両のドアアウトサイドハンドル構造は、サイドドアにおいて外板を構成するドアアウタパネルにおける車両幅方向の外側に設けられ、前記サイドドアを開放させるドアアウトサイドハンドルと、前記ドアアウタパネルにおける車両幅方向の内側に設けられ、前記ドアアウトサイドハンドルを車両幅方向に沿って揺動可能に支持するドアアウトサイドハンドルベースと、前記ドアアウトサイドハンドルベースに連結され、前記サイドドアのドア開放時にドアアウトサイドハンドルを揺動させると一方向に移動して当該サイドドアが閉止されたドアロック状態を解除する連結レバーと、前記連結レバーに形成されると共に前記ドアアウトサイドハンドルベースの車両幅方向の内側に配置され、車両の側面衝突時に前記ドアアウタパネルの車両幅方向内側への変位に伴い前記ドアアウトサイドハンドルベースが車両幅方向の内側へ変位すると前記ドアロック状態が解除されないように当該連結レバーの車両下方向への移動を規制する規制機構と、を備え、前記規制機構は、車両の側面衝突時に前記ドアアウトサイドハンドルベースの側面に形成された被係合部に係合される係合部であって、前記被係合部は前記ドアアウトサイドハンドルベースの側面に設けられた段部であり、前記係合部は車両の側面衝突時に前記段部の上方に位置する突出部である。
【０００８】
請求項１に記載の発明では、サイドドアにおいて外板を構成するドアアウタパネルにおける車両幅方向の外側には、当該サイドドアを開放させるドアアウトサイドハンドル（以下、単に「ドアハンドル」という）が設けられている。そして、当該ドアアウタパネルにおける車両幅方向の内側には、当該ドアハンドルを車両幅方向に沿って揺動可能に支持するドアアウトサイドハンドルベース（以下、「ドアハンドルベース」という）が設けられている。
【０００９】
このドアハンドルベースには連結レバーが連結されており、サイドドアのドア開放時にドアハンドルを揺動させると、当該連結レバーが一方向に移動する。これにより、サイドドアが閉止されたドアロック状態が解除される。
【００１０】
一方、側突時に、ドアアウタパネルが車両幅方向内側へ変位すると、当該ドアアウタパネルの変位に伴いドアハンドルベースが車両幅方向内側へ変位し、連結レバーに設けられると共にドアハンドルベースの車両幅方向の内側に配置された規制機構によって、サイドドアのドアロック状態が解除されないように連結レバーの一方向への移動が規制される。これにより、サイドドアはドアロック状態が維持されることになる。
【００１１】
つまり、側突時のドアアウタパネルの車両幅方向内側への変位を利用して、ドアハンドルベースを車両幅方向内側へ変位させることによって連結レバーの一方向への移動を規制するだけなので、側突時の慣性力を利用して所定の部材を揺動させる構成よりも簡単な構成で対応可能である。
【００１３】
また、本発明では、規制機構は連結レバーに形成された係合部であり、車両の側突時に、ドアハンドルベースが車両幅方向内側へ変位すると、当該係合部がドアハンドルベースの側面に形成された被係合部に係合されるように設定されている。そして、被係合部に係合部が係合された状態で、サイドドアのドアロック状態が解除されないように連結レバーの一方向への移動が規制される。
【００１４】
ここで、被係合部は、ドアハンドルベースの側面に対して凹凸状に形成された部位であり、係合部は、この部位との干渉によって連結レバーの一方向への移動が規制されるような形状を成していれば良い。つまり、係合部は、被係合部に形状に応じて突起部や切欠き部等が形成される。
【００１６】
さらに、本発明では、サイドドアのドア開放時にドアハンドルを揺動させると連結レバーは車両下方向へ移動する。一方、ドアハンドルベースの側面には被係合部としての段部が設けられている。そして、係合部は連結レバーに形成された突起部であり、側突時に、ドアハンドルベースが車両幅方向内側へ変位すると、当該突起部がドアハンドルベースに形成された段部の上に位置するようになることで、連結レバーは車両下方向へ移動しようとしてもその移動が規制される。
【００１７】
ここでは、ドアハンドルベースの形状に合わせて連結レバーの形状を変えるだけなので、ドアハンドルベースを共有化させることができる。そして、連結レバーにおいて、現行の金型に凹部を形成することで突起部を設けることができる。
【発明の効果】
【００１８】
以上説明したように、請求項１記載の発明に係る車両のドアアウトサイドハンドル構造は、側突時においてサイドドアのドアロック状態が解除され難い構造を簡単な構成で得ることができる、という優れた効果を有する。
【００１９】
また、請求項１記載の本発明に係る車両のドアアウトサイドハンドル構造は、ドアハンドルベースと連結レバーの形状を変えるだけで本発明の適用が可能となる、という優れた効果を有する。
【００２０】
さらに、請求項１記載の本発明に係る車両のドアアウトサイドハンドル構造は、本発明の適用に当たって新規に金型を起工させる必要はなく、コストアップを抑制することができる、という優れた効果を有する。
【図面の簡単な説明】
【００２１】
【図１】本実施の形態に係る車両のドアアウトサイドハンドル構造が適用されたドアハンドル装置を車両前方側かつ車両幅方向内側の斜め上方から見て示す斜視図である。
【図２】図３の２−２線に沿って切断された状態を示す要部拡大断面図である。
【図３】リヤサイドドアを示す車両側面図である。
【図４】図１の４−４線に沿って切断された状態を示す要部拡大断面図である。
【図５】ドアハンドルを車両幅方向外側へ揺動させた状態を示す図４に対応する要部拡大断面図である。
【図６】本実施の形態に係る車両のドアアウトサイドハンドル構造が適用されたドアハンドル装置の作用を説明するために要部を模式的に示した図であり、（Ａ）は側突前の状態を示す模式図、（Ｂ）は側突後の状態を示す模式図である。
【発明を実施するための形態】
【００２２】
以下、図面を用いて、本発明に係る車両のドアアウトサイドハンドル構造について説明する。なお、これらの図において適宜示される矢印ＦＲは車両前方側を示しており、矢印ＵＰは車両上方側を示しており、矢印ＯＵＴは車両幅方向外側を示している。
【００２３】
（車両のドアアウトサイドハンドル構造の構成）
図３には、一例として、本実施形態に係る車両のドアアウトサイドハンドル構造が適用されたリヤサイドドア１０が示されている。リヤサイドドア１０は、図示はしないが車体側部に形成された図示しないドア開口部を開閉するものであり、ドア開口部の車両前後方向の前縁部を構成するセンターピラーのドアヒンジに回転可能に支持されている。そして、リヤサイドドア１０側に設けられたドアロック装置１２（図１参照）に内蔵されたラッチ（図示省略）が、ドア開口部の後縁部に配設されたストライカ（図示省略）に係合されることによって、リヤサイドドア１０が閉止された状態（ドアロック状態）が維持される。
【００２４】
図２に示されるように、リヤサイドドア１０は、車両幅方向外側に配置されリヤサイドドア１０の外板を構成するドアアウタパネル１４と、車両幅方向内側に配置されリヤサイドドア１０の内板を構成するドアインナパネル１６と、を備えている。また、ドアアウタパネル１４とドアインナパネル１６とは、車両幅方向に対向すると共に、ドアアウタパネル１４の周縁部とドアインナパネル１６の周縁部とはヘミング加工によって互いに結合されている。そして、この状態でドアアウタパネル１４とドアインナパネル１６の間には中空部１８が設けられる。なお、中空部１８内には、ドアガラス２０（図３参照）や当該ドアガラス２０を昇降させるドアガラス昇降装置（ウインドレギュレータ）等と共に、前述のドアロック装置１２が配設されている。
【００２５】
また、ドアアウタパネル１４のベルトライン部ＢＬの下方側にドアアウトサイドハンドル装置（以下、単に「ドアハンドル装置」ともいう）２２が設けられている。このドアハンドル装置２２は、ドアハンドルベース２４とドアハンドル２６とを備えており、ドアハンドルベース２４はドアアウタパネル１４の車両幅方向の内側に設けられている。また、ドアハンドル２６は、ドアアウタパネル１４の車両幅方向の外側に設けられており、ドアハンドルベース２４によって車両幅方向に沿って揺動可能に支持されている。そして、リヤサイドドア１０を開放させる際、ドアハンドル２６を車両幅方向外側（矢印Ａ方向）へ揺動させる。
【００２６】
ここで、図４に示されるように、ドアハンドル２６の自由端と車両幅方向で対向するドアアウタパネル１４の部位には挿通孔１４Ａが形成されている。この挿通孔１４Ａは、ドアハンドル２６に連結された移動部材２８が挿通可能とされており、図５に示されるように、ドアハンドル２６を車両幅方向外側へ揺動させると、当該移動部材２８が挿通孔１４Ａ内を移動する。
【００２７】
一方、ドアハンドルベース２４の下部には、移動部材２８を支持すると共に移動部材２８の車両幅方向への移動を案内する被係合部としての台座３０が設けられている。また、ドアハンドルベース２４には、車両前後方向に沿ってシャフト３２が固定されている。シャフト３２には逆三角形状に形成されたハンドルレバー３４が回動可能に支持されており、図４に示す状態（ドアハンドル２６が揺動されていない状態）でハンドルレバー３４の下部に位置する頂部からはアーム３６が延出されている。
【００２８】
このアーム３６の先端部は、移動部材２８に設けられた当接壁２８Ａに当接しており、図４及び図５に示されるように、ドアハンドル２６を車両幅方向外側（矢印Ａ方向）へ揺動させ移動部材２８が車両幅方向外側へ移動すると、当接壁２８Ａによってアーム３６は車両幅方向外側へ押されるようになっている。これにより、ハンドルレバー３４がシャフト３２周りを矢印Ｂ方向へ回転する。
【００２９】
また、図４に示す状態でハンドルレバー３４の上部に位置して車両幅方向外側に配置された頂部には、カウンタマス３８が設けられている。このカウンタマス３８は、側突時において、ドアハンドル２６の回動を防止するように設定されている。また、シャフト３２にはねじりコイルばね（図示省略）が巻着されており、ねじりコイルばねの付勢力によって、車両幅方向外側へ揺動されたドアハンドル２６は元の位置に戻されるようになっている。
【００３０】
さらに、図４に示す状態でハンドルレバー３４の上部に位置して車両幅方向内側に配置された頂部には、シャフト４０が固定されている。このシャフト４０には連結レバー４２が回動可能に軸支されている。連結レバー４２は、図１に示されるように、車両上下方向に沿って延出する長板状を成しており、連結レバー４２の中央部には、車両前方側へ向かって水平状に屈曲する屈曲部４４が設けられている。また、連結レバー４２の自由端側には、二股状に形成された操作部４６が車両上下方向に沿って延出している。
【００３１】
ここで、連結レバー４２に設けられた屈曲部４４の車両幅方向外側に位置する側壁４２Ａからは、係合部としての角状の突出部４８がドアハンドルベース２４へ向かって略水平に突出している。図４及び図５に示されるように、突出部４８は、連結レバー４２の移動による移動軌跡において、ドアハンドルベース２４とは干渉しない長さとなるように形成されており、図４に示されるように、ドアハンドル２６が揺動されていない状態で、ドアハンドルベース２４における台座３０の段部としての上面３０Ａよりも車両上下方向で高い位置となるように設定されている。
【００３２】
なお、ここでの「車両上下方向で高い位置」とは、連結レバー４２の突出部４８とドアハンドルベース２４の台座３０との車両上下方向における離間距離において、リヤサイドドア１０のドアロック状態が解除されない範囲で連結レバー４２の動きが可能な範囲内とされる。したがって、連結レバー４２はリヤサイドドア１０のドアロック状態が解除されない範囲内での動きが可能な構成であっても良いし、当該連結レバー４２が動かない（連結レバー４２の動きが阻止される）構成であっても良い。
【００３３】
一方、ドアロック装置１２には、ラッチオープンレバー５０がシャフト５２を中心に回動可能に設けられている。ラッチオープンレバー５０にはピン５４が設けられており、連結レバー４２の操作部４６に設けられたスリット部４６Ａに当該ピン５４が係合可能とされている。
【００３４】
このため、ハンドルレバー３４の矢印Ｂ方向への回動によって、図５に示されるように、連結レバー４２が車両下方へ移動すると、スリット部４６Ａを介してピン５４が車両下方へ移動し、ラッチオープンレバー５０が矢印Ｃ方向へ回動する。これにより、ドアロック装置１２に設けられた図示しないラッチがストライカに係合された状態が解除される。つまり、リヤサイドドア１０のドアロック状態が解除され、当該リヤサイドドア１０が開放可能な状態となる。
【００３５】
（車両のドアアウトサイドハンドル構造の作用・効果）
次に、本実施形態の作用並びに効果について説明する。
【００３６】
図４に示されるように、リヤサイドドア１０を開放する際には、シャフト３２に巻着されたねじりコイルばね（図示省略）の付勢力に抗してドアハンドル２６を車両幅方向外側（矢印Ａ方向）へ揺動させる。すると、図５に示されるように、ドアハンドル２６に連結された移動部材２８が車両幅方向外側の方向へ移動し、移動部材２８の当接壁２８Ａに当接されたハンドルレバー３４のアーム３６が押圧され、ハンドルレバー３４がシャフト３２周りを矢印Ｂ方向へ回動する。
【００３７】
このハンドルレバー３４の回動に伴い、シャフト４０によって回動可能に軸支された連結レバー４２が車両下方へ押し下げられる。これにより、連結レバー４２の操作部４６に係合されたピン５４が押し下げられ、ラッチオープンレバー５０がシャフト５２周りを矢印Ｃ方向へ回動する。これによって、ドアロック装置１２のラッチはストライカとの係合状態が解除され（ドアロック状態が解除され）、リヤサイドドア１０が開放可能となる。
【００３８】
ここで、図６（Ａ）、（Ｂ）には、本実施形態における作用を説明するためドアハンドル装置２２（図４参照）の要部を模式的に示した模式図が示されている。図６（Ａ）に示されるように、本実施形態では、連結レバー４２の側壁４２Ａからは、ドアハンドルベース２４へ向かって突出部４８が略水平に突出している。
【００３９】
突出部４８は、連結レバー４２の移動による移動軌跡において、ドアハンドルベース２４とは干渉しない長さとなるように形成されており、ドアハンドル２６（図４参照）が揺動されていない状態で、ドアハンドルベース２４の台座３０の上面３０Ａよりも車両上下方向で高い位置となるように設定されている。
【００４０】
そして、図６（Ｂ）に示されるように、側突時にドアアウタパネル１４（図４参照）が車両幅方向内側（矢印Ｄ方向）へ変位すると、当該ドアアウタパネル１４の変位に伴ってドアハンドルベース２４が車両幅方向内側へ変位する。このとき、台座３０の上面３０Ａの上方に連結レバー４２の突出部４８が位置するようになる。これにより、連結レバー４２は車両下方へ移動しようとしても、突出部４８が台座３０に干渉するため、その移動が規制される。
【００４１】
図４及び図５に示されるように、連結レバー４２が車両下方へ移動すると、ピン５４を介してラッチオープンレバー５０がシャフト５２周りを矢印Ｃ方向へ回動し、これによって、ドアロック状態が解除され、リヤサイドドア１０が開放可能となる。このため、図６（Ｂ）に示されるように、連結レバー４２の車両下方への移動が規制されることで、リヤサイドドア１０（図４参照）はドアロック状態が維持されることになる。つまり、本実施形態によれば、側突時において、リヤサイドドア１０のドアロック状態が解除され難い構造とすることができる。
【００４２】
このように、本実施形態では、側突時において、リヤサイドドア１０のドアロック状態が解除され難い構造を得るため、側突時のドアアウタパネル１４の車両幅方向内側への変位を利用して、ドアハンドルベース２４を連結レバー４２に干渉させることによって連結レバー４２の車両下方への移動を規制するだけなので、側突時の慣性力を利用して所定の部材を揺動させる構成よりも簡単な構成で対応可能である。
【００４３】
また、本実施形態では、ドアハンドルベース２４の形状に合わせて、連結レバー４２の形状を変えるだけなのでドアハンドルベース２４を共有化することができる。そして、本実施形態では、連結レバー４２に突出部４８が設けられている。つまり、連結レバー４２における現行の金型において凹部を形成することで連結レバー４２に突出部４８を設けることができるため、新規に金型を起工させる必要はなく、コストアップを抑制することができる。
【００４５】
（２）また、本実施形態では、規制機構としての連結レバー４２に係合部としての突出部４８を突出させている。そして、側突時にドアアウタパネル１４の変位に伴ってドアハンドルベース２４が車両幅方向内側へ変位すると、被係合部としての台座３０の上面３０Ａの上方に、連結レバー４２の突出部４８が位置するように設定されている。
【００４６】
しかし、本発明では、側突時において、ドアハンドルベース２４が連結レバー４２に干渉することによって、連結レバー４２の一方向への移動を規制することができれば良いため、これに限るものではない。例えば、図示しないドアハンドルベースの形状（凹凸部）に合わせて、連結レバーには、突起部や切欠き部等が形成されるようにしても良いし、規制機構としてドアハンドルベースに被係合部としての例えば凹状部を設けると共に、連結レバーには係合部として当該凹状部に係合可能な凸状部を形成しても良い。
【００４７】
（３）さらに、上記実施形態では、リヤサイドドア１０に本発明の車両のドアアウトサイドハンドル構造を適用したが、これに限らず、フロントサイドドアに本発明を適用させても良い。また、ここでは、ドアヒンジによって車両の幅方向外側に開放する所謂スイング式のサイドドアについて説明したが、これに限らず、車両前後方向にスライドさせて開放するスライドドアに本発明を適用させても良い。
【符号の説明】
【００４８】
１０      リヤサイドドア（サイドドア）
１４      ドアアウタパネル
１６      ドアインナパネル
２２      ドアハンドル装置
２４      ドアハンドルベース（ドアアウトサイドハンドルベース）
２６      ドアハンドル（ドアアウトサイドハンドル）
３０      台座（被係合部、規制機構）
３０Ａ    上面（段部、被係合部、規制機構）
４２      連結レバー
４８      突出部（係合部、規制機構）
【図１】
0005966586.tif 000002
【図２】
0005966586.tif 000003
【図３】
0005966586.tif 000004
【図４】
0005966586.tif 000005
【図５】
0005966586.tif 000006
【図６】
0005966586.tif 000007